(57)【要約】      （修正有）【課題】静止画像と音声を同時に録音する際に、ユーザの意図しない合焦動作音や合焦告知音を録音せず、更に被写体にも録音開始のタイミングを知らせることで、ユーザが所望する音声付画像の撮影ができるようにする。【解決手段】静止画像と音声を略同時に記録可能な撮像装置において、合焦動作完了後にユーザに対し合焦動作完了と録音開始を告知するためにスピーカー１２で告知、もしくはストロボ等の発光手段９で発光させ、その後に録音を開始する。【選択図】図１
2010272940.tif 000002
【特許請求の範囲】
【請求項１】
静止画像と音声を同時に記録可能な撮像装置であって、静止画の撮影と音声の録音を同時に行えるモードにおいて、合焦動作完了後に音声の録音が開始されることを特徴とする撮像装置。
【請求項２】
静止画像と音声を同時に記録可能な撮像装置であって、静止画の撮影と音声の録音を同時に行えるモードにおいて、告知音により合焦動作完了と録音開始をユーザに告知させると共に、前記告知音の完了後に音声の録音が開始されることを特徴とする請求項１記載の撮像装置。
【請求項３】
静止画像と音声を同時に記録可能な撮像装置にであって、静止画の撮影と音声の録音を同時に行えるモードにおいて、ストロボ発光部９の発光により合焦動作完了と録音開始をユーザに告知させると共に、ストロボ発光部９の発光完了後に音声の録音が開始されることを特徴とする請求項１記載の撮像装置。
【請求項４】
静止画像と音声を同時に記録可能な撮像装置であって、静止画の撮影と音声の録音を同時に行えるモードにおいて、音声を発しない発光手段により合焦動作完了と録音開始をユーザに告知させると共に、前記合焦動作完了後に音声の録音が開始されることを特徴とする請求項１記載の撮像装置。
【発明の詳細な説明】
【技術分野】
【０００１】
本発明は静止画像と同時に録音可能な撮像装置に関するものである。
【背景技術】
【０００２】
近年のデジタルスチルカメラ市場では、静止画像、動画像だけでなく、静止画像と音声を同時に録音できるものが知られている。例えば特許文献１のように、レリーズボタンの半押しで録音を開始するものが存在している。
【先行技術文献】
【特許文献】
【０００３】
【特許文献１】特開２００７−１２４７１３号公報
【発明の概要】
【発明が解決しようとする課題】
【０００４】
しかし、多くのデジタルスチルカメラにおいてはレリーズボタンの半押しで合焦動作を行うため、従来例のようにレリーズボタンの半押しで録音開始した場合、ユーザが意図しないレンズの駆動音などの合焦動作音も録音してしまい、ユーザが所望する音声付画像が得られないという問題点があった。またデジタルカメラによっては、合焦完了を知らせるための合焦告知音を発生させているものもあり、その場合は合焦告知音も録音してしまい、やはりユーザが所望する音声付画像が得られなかった。また、逆に合焦告知音を発生させない場合には、被写体にとって録音開始のタイミングが分からないという問題もある。
【０００５】
本出願に係る発明の目的は、上記のような従来の問題点に鑑みてなされたものであり、静止画像と音声を同時に録音する際に、ユーザの意図しない合焦動作音や合焦告知音を録音せず、更に被写体にも録音開始のタイミングを知らせることで、ユーザが所望する音声付画像の撮影ができることにある。
【課題を解決するための手段】
【０００６】
上記目的を達成するため、本発明は、
静止画像と音声を略同時に記録可能な撮像装置であって、静止画の撮影と音声の録音を略同時に行えるモードにおいて、合焦動作完了後に音声の録音が開始されることを特徴としている。
【０００７】
また、本発明のほかの特徴とするところは、
静止画像と音声を略同時に記録可能な撮像装置であって、静止画の撮影と音声の録音を略同時に行えるモードにおいて、告知音により合焦動作完了と録音開始をユーザに告知させると共に、前記告知音の完了後に音声の録音が開始されることを特徴としている。
【０００８】
また、本発明のその他の特徴とするところは、
静止画像と音声を略同時に記録可能な撮像装置にであって、静止画の撮影と音声の録音を略同時に行えるモードにおいて、ストロボ発光部９の発光により合焦動作完了と録音開始をユーザに告知させると共に、ストロボ発光部９の発光完了後に音声の録音が開始されることを特徴としている。
【０００９】
また、本発明のその他の特徴とするところは、
静止画像と音声を略同時に記録可能な撮像装置であって、静止画の撮影と音声の録音を略同時に行えるモードにおいて、音声を発しない発光手段により合焦動作完了と録音開始をユーザに告知させると共に、前記合焦動作完了後に音声の録音が開始されることを特徴としている。
【発明の効果】
【００１０】
以上説明したように、本発明によれば、静止画像と音声を同時に記録する際に、ユーザの意図しない合焦動作音や合焦告知音を録音することなく周囲の音声が記録可能である。更にユーザに録音開始のタイミングを知らせることが可能であるため、ユーザが所望する音声付画像の撮影ができることにある。
【図面の簡単な説明】
【００１１】
【図１】撮像装置のブロック図
【図２】撮像装置の前方から見た全体斜視図
【図３】撮像装置の後方から見た全体斜視図
【図４】実施例１における流れを示すフローチャート
【図５】実施例２における流れを示すフローチャート
【図６】実施例３における流れを示すフローチャート
【図７】実施例１におけるタイミングチャート
【図８】実施例２におけるタイミングチャート
【図９】実施例３におけるタイミングチャート
【発明を実施するための形態】
【００１２】
以下、添付する図面を用いて本発明を実施するための最良の形態を説明する。
【実施例１】
【００１３】
本実施例では、請求項１、２における内容についての説明を行う。
【００１４】
図２は本発明における撮像装置の本体３１の前方から見た全体斜視図である。本体３１の前面には光学装置１、マイク１４、ストロボ発光部９、補助光部１６が配置されている。マイク１４は本体内部に組み込まれているため、破線で示している。マイク１４の前方には外部からの音を拾うための穴形状が設けられている。図示していないが、光学装置１はズーム処理及び焦点調節（合焦）が可能な複数のレンズから成っており、この光学装置１により被写体像が図１に示す撮像素子２の受光面上に結像する。補助光部１６は、暗所でのＡＦ時に発光することでＡＦ動作を補助したり、セルフタイマー使用時に発光することで被写体への確認手段として用いられたり、更には赤目緩和を目的とした発光に使用される。
【００１５】
本体３１上面には電源ボタン３３、スピーカ１２、ズームレバー３２、レリーズボタン８が配置され、このレリーズボタン８は２段階式で構成されており、軽く押した１段目の半押し状態で合焦動作を実行する。この合焦動作では、最適な焦点位置まで不図示のレンズが駆動するＡＦ動作と、最適な露出を自動で制御するＡＥ動作を行う。この後、さらにレリーズボタン８を押し込むことで２段目の全押し状態となり、撮影が実行される。以後、前述したレリーズボタン８の１段目の状態を半押し状態、２段目の状態を全押し状態とする。スピーカ１２は本体３１内部に組み込まれており、破線で示してある。スピーカ１２の前方には音声を外部へ伝えるための穴形状が設けられている。
【００１６】
図３は、本体３１を背面から見た斜視図である。背面には、液晶モニタ３８、モードダイヤル７、プリント実行ボタン４０、画面表示ボタン４１、メニューボタン４２、十字ボタン４３、セットボタン４４が配置されている。液晶モニタ３８には、撮影画像や各種設定内容、撮影モード情報等が表示される。モードダイヤル７は各種モードを切り替える部材で、例えば再生モード、静止画オート撮影モード、静止画マニュアル撮影モード、シーンモード、動画撮影モード等が設定されている。本発明ではこれらに加え、静止画と録音を略同時に記録可能な、音声付静止画撮影モードを設定している。プリント実行ボタン４０は、画像を直接プリンタへ取り込む際に使用するボタンである。画面表示ボタン４１は液晶モニタ３８の表示内容を切り替えるボタンであり、例えば撮影可能枚数や画素といった各種情報の表示、非表示を切り替えたり、液晶モニタ３８全体の表示、非表示を切り替える。メニューボタン４２は押すことで各種設定内容を表示し、十字ボタン４３で上下左右を指示し、セットボタン４４を押すことで設定可能となる。この十字ボタン４３には他にも機能が割り当てられており、上下左右方向を押すことで、他にマクロモード、ＩＳＯ感度感度切り替え、フラッシュの設定情報、連射撮影、セルフタイマー等の撮影情報が表示され、設定が可能となっている。同様に、セットボタン４４にも各種設定情報が割り当てられている。
【００１７】
図１は本体３１の構成を説明するブロック図である。以下、図１を用いて説明することとする。
【００１８】
光学装置１はズーム処理及び焦点調節（合焦）が可能な複数のレンズから成っており、この光学装置１により被写体像が撮像素子２の受光面上に結像する。撮像素子２は、光学装置１によって結像された被写体像の画像情報を光電変換し、撮像部３においてこれらの信号をデジタル信号に変換するアナログ／デジタル（Ａ／Ｄ）変換を行う。撮像部３からのデジタルデータは信号処理部４によって所定の処理が行われ、映像信号が生成される。生成された映像信号は、記録部１０へ出力され、メモリーカード等に記録される。レンズ駆動部５はシステム制御部１５からの指令に応じてレンズを駆動させ、合焦動作を行う。この際レンズを駆動させるための駆動音が発生してしまうことになる。以下、この音を合焦動作音と表すことにする。マイク１４は音声を取り込んで、電気信号を出力する。音声信号処理部１３では、システム制御部１５からの制御信号に基づき、マイク１４から得られた電気信号を増幅してＡ／Ｄ変換し、得られた音声データを記録部１０へ出力し、メモリーカード等に記録する。音声信号処理部１１ではデジタル音声データをＤ／Ａ変換によりアナログ音声信号に変換し、増幅してスピーカ１２より音声を再生する。ストロボ発光部９は、不図示のキセノン管、フレネルレンズ、昇圧回路等からなり、システム制御部１５からの指令により発光制御される。ストロボ発光部９の発光は、キセノン管への放電により生じるため、この放電時に発光音が発生してしまう。補助光部１６は不図示のＬＥＤ等の発光体からなり、システム制御部１５からの指令により発光制御され、発光の際にも発光音は生じない。
【００１９】
図４は、本実施例を示すフローチャートである。以下、図４を用いて本実施例について説明する。
【００２０】
ステップＳ１０１において、レリーズボタン８が半押しされたかどうかを判断する。半押しされていればステップＳ１０２へ進み、押されていなければステップＳ１０１の判定を繰り返し行う。ステップＳ１０２において、システム制御部１５は合焦動作を行う。ステップＳ１０３へ進み、レリーズボタン８が解除されたかどうか判定を行い、解除されていなければステップＳ１０４へと進み、合焦完了と録音開始を知らせる告知音を発生させ、ステップＳ１０５へ進む。ステップＳ１０３でレリーズボタン８が解除されていればステップＳ１０１へ戻り、ステップＳ１０１の判定を繰り返し行う。ステップＳ１０５では録音を開始し、ステップＳ１０６へ進む。ステップＳ１０６において、レリーズボタン８が解除されていなければステップＳ１０８へ進む。ステップＳ１０６においてレリーズボタン８が解除されていればステップＳ１０７へ進み、これまでの録音内容を消去した後ステップＳ１０１へ戻り、ステップＳ１０１の判定を繰り返し行う。ステップＳ１０７において、これまでの録音内容を消去することで不要なデータの記憶を回避することが可能となる。ステップＳ１０８ではレリーズボタン８が全押しされているかの判定を行い、全押しされていなければステップＳ１０６へ進む。全押しされていればステップＳ１０９へ進み、撮像処理を行う。この撮像処理では、前述のように、図１に示す光学装置１から得られた被写体象の映像信号を、メモリカード等に記録する。更にステップＳ１１０へ進み、レリーズボタン８が全押し解除されたかどうかを判定し、解除されていなければステップＳ１１０を繰り返し判定し、解除されていればステップＳ１１１へ進む。ステップＳ１１１では録音を終了し、得られた音声データを記録媒体１０へ出力し、メモリーカード等に記録する。
【００２１】
図７は、本実施例を示すタイミングチャートである。横軸は時間を示し、縦軸はＯＮ・ＯＦＦを表している。信号の立ち上がりから立ち下がりまでの区間はＯＮを表し、その他部分はＯＦＦを表している。以下、図７を用いて説明を行う。
【００２２】
図７において、レリーズボタン８を半押しした状態がＴａ１であり、ここで合焦動作が開始される。Ｔａ２では合焦動作が完了し、合焦完了と録音開始の合図である告知音が開始される。Ｔａ３において合焦完了の告知音が終了してから録音が開始される。このＴａ３で録音を開始することで、ユーザーの意図しない合焦動作音と告知音が録音されることが無くなり、ユーザが所望する音声の録音ができることになる。またＴａ３において、告知音の終了と同時に録音開始となっているが、告知音の後であれば録音開始は同時でなくても良い。その後、レリーズボタン８が全押しされたＴａ４では撮像処理が開始され、Ｔａ５で完了する。この間、レリーズボタン８は全押し状態にあり、全押しが解除されるＴａ６で録音を終了することになる。このレリーズボタン８の全押し解除タイミングであるＴａ６は、撮像処理完了となるＴａ５よりも前であっても良い。更にＴａ７でレリーズボタンの半押しが解除された後で、次の音声付画像の撮影を行うことが可能となる。
【００２３】
本実施例ではＴａ６の全押し解除で録音を終了しているが、Ｔａ７における半押し解除で録音を終了しても良い。
【００２４】
以上説明したように本実施例によれば、静止画像と音声を同時に記録する際に、ユーザの意図しない合焦動作音と告知音の録音を回避できる。更に告知音を発生して録音開始のタイミングを知らせることで、ユーザが所望する音声付画像の撮影ができることになる。
【実施例２】
【００２５】
次に、請求項１、３における実施例を示す。前述の実施例に対し重複説明を避けるため、異なっている部分のみを説明することにする。
【００２６】
図５は、本実施例を示すフローチャートである。以下、図５を用いて本実施例について説明する。
【００２７】
ステップＳ２０１において、レリーズボタン８が半押しされたかどうかを判断する。半押しされていればステップＳ２０２へ進み、押されていなければステップ２０１の判定を繰り返し行う。ステップＳ２０２において、システム制御部１５は合焦動作を行う。ステップＳ２０３へ進み、レリーズボタン８が解除されたかどうか判定を行い、解除されていなければステップＳ２０４へと進み、合焦完了と録音開始を知らせるストロボ発光部９を発光させ、ステップＳ２０５へ進む。ここで、ストロボ発光部９を発光させることで、ユーザは撮影のタイミングを把握することが可能となり、ユーザが所望する音声の録音ができることになる。ユーザは安心して録音を行うことができることになる。ステップＳ２０３でレリーズボタン８が解除されていればステップＳ２０１へ戻り、ステップＳ２０１の判定を繰り返し行う。ステップＳ２０５では録音を開始し、ステップＳ２０６へ進む。ステップＳ２０６において、レリーズボタン８が解除されていなければステップＳ２０８へ進む。ステップＳ２０６においてレリーズボタン８が解除されていればステップＳ２０７へ進み、これまでの録音内容を消去した後ステップＳ２０１へ戻り、ステップＳ２０１の判定を繰り返し行う。ステップＳ２０７において、これまでの録音内容を消去することで不要なデータの記憶を回避することが可能となる。ステップＳ２０８ではレリーズボタン８が全押しされているかの判定を行い、全押しされていなければステップＳ２０６へ進む。全押しされていればステップＳ２０９へ進み、撮像処理を行う。この撮像処理では、前述のように、図１に示す光学装置１から得られた被写体象の映像信号を、メモリーカード等に記録する。更にステップＳ２１０へ進み、レリーズボタン８が全押し解除されたかどうかを判定し、解除されていなければステップＳ２１０を繰り返し判定し、解除されていればステップＳ２１１へ進む。ステップＳ２１１では録音を終了し、得られた音声データを記録媒体１０へ出力し、メモリーカード等に記録する。
図８は、本実施例を示すタイミングチャートである。横軸は時間を示し、縦軸はＯＮ・ＯＦＦを表している。信号の立ち上がりから立ち下がりまでの区間はＯＮを表し、その他部分はＯＦＦを表している。以下、図８を用いて説明を行う。
【００２８】
図８において、レリーズボタン８を半押しした状態がＴｂ１であり、ここで合焦動作が開始される。Ｔｂ２では合焦動作が完了し、合焦完了と録音開始の合図であるストロボ発光部９の発光が開始される。Ｔｂ３においてストロボ発光部９の発光が終了し、発光音も終了してから録音が開始される。このＴｂ３で録音を開始することで、ユーザの意図しない合焦動作音と、ストロボ発光部９の発光音が録音されることが無くなり、ユーザが所望する音声の録音ができることになる。またＴｂ３において、ストロボ発光部９の発光終了と同時に録音開始となっているが、発光終了後であれば録音開始は同時でなくても良い。その後、レリーズボタン８が全押しされたＴｂ４では撮像処理が開始され、Ｔｂ５で完了する。この間、レリーズボタン８は全押し状態にあり、全押しが解除されるＴｂ６で録音を終了することになる。このレリーズボタン８の全押し解除タイミングであるＴｂ６は、撮像処理完了となるＴｂ５よりも前であっても良い。更にＴｂ７でレリーズボタンの半押しが解除された後で、次の音声付画像の撮影を行うことが可能となる。
【００２９】
本実施例ではＴｂ６の全押し解除で録音を終了しているが、Ｔｂ７における半押し解除で録音を終了しても良い。
【００３０】
以上説明したように本実施例によれば、静止画像と音声を同時に記録する際に、ユーザの意図しない合焦動作音とストロボ発光部９の発光音の録音を回避できる。更にストロボ発光部９の発光により録音開始のタイミングを知らせることで、ユーザが所望する音声付画像の撮影ができることになる。
【実施例３】
【００３１】
次に、請求項１、４における実施例を示す。前述の実施例に対し重複説明を避けるため、異なっている部分のみを説明することにする。
【００３２】
図６は、本実施例を示すフローチャートである。以下、図６を用いて本実施例について説明する。なお、本実施例では、実施例２で発光手段として用いたストロボ発光部９の代わりに補助光部１６を使用している。
【００３３】
ステップＳ３０１において、レリーズボタン８が半押しされたかどうかを判断する。半押しされていればステップＳ３０２へ進み、押されていなければステップ３０１の判定を繰り返し行う。ステップＳ３０２において、システム制御部１５は合焦動作を行う。ステップＳ３０３へ進み、レリーズボタン８が解除されたかどうか判定を行い、解除されていなければステップＳ３０４へと進み、合焦完了と録音開始を知らせる補助光部１６を発光させ、ステップＳ３０５へ進む。ここで、補助光部９を発光させることで、ユーザは撮影のタイミングを把握することが可能となり、ユーザが所望する音声の録音ができることになる。ステップＳ３０３でレリーズボタン８が解除されていればステップＳ３０１へ戻り、ステップＳ３０１の判定を繰り返し行う。ステップＳ３０５では録音を開始し、ステップＳ３０６へ進む。ここで、本フローチャート上では、ステップＳ３０４で録音を開始した後にステップＳ３０５で補助光部１６を発光させているが、補助光部１６での発光音は生じないため、補助光部１６を発光させてから録音開始しても良いし、補助光部１６の発光と同時に録音を開始しても良い。ステップＳ３０６において、レリーズボタン８が解除されていなければステップＳ３０８へ進む。ステップＳ３０６においてレリーズボタン８が解除されていればステップＳ３０７へ進み、これまでの録音内容を消去した後ステップＳ３０１へ戻り、ステップＳ３０１の判定を繰り返し行う。ステップＳ３０７において、これまでの録音内容を消去することで不要なデータの記憶を回避することが可能となる。ステップＳ３０８ではレリーズボタン８が全押しされているかの判定を行い、全押しされていなければステップＳ３０６へ進む。全押しされていればステップＳ３０９へ進み、撮像処理を行う。この撮像処理では、前述のように、図１に示す光学装置１から得られた被写体象の映像信号を、メモリーカード等に記録する。更にステップＳ３１０へ進み、レリーズボタン８が全押し解除されたかどうかを判定し、解除されていなければステップＳ３１０を繰り返し判定し、解除されていればステップＳ３１１へ進む。ステップＳ３１１では録音を終了し、得られた音声データを記録媒体１０へ出力し、メモリーカード等に記録する。
【００３４】
図９は、本実施例を示すタイミングチャートである。横軸は時間を示し、縦軸はＯＮ・ＯＦＦを表している。信号の立ち上がりから立ち下がりまでの区間はＯＮを表し、その他部分はＯＦＦを表している。以下、図９を用いて説明を行う。
【００３５】
図９において、レリーズボタン８を半押しした状態がＴｃ１であり、ここで合焦動作が開始される。Ｔｃ２では合焦動作が完了し、合焦完了と録音開始の合図である補助光部１６が発光され、同時に録音も開始する。このＴｃ２で録音を開始することで、ユーザーの意図しない合焦動作音が録音されることが無くなり、ユーザが所望する音声の録音ができることになる。またＴｃ２において、補助光９の発光と同時に録音開始となっているが、合焦動作の完了後であれば、発光と録音開始は同時でなくても良い。その後、レリーズボタン８が全押しされたＴｃ４では撮像処理が開始され、Ｔｃ５で完了する。この間、レリーズボタン８は全押し状態にあり、全押しが解除されるＴｃ６で録音を終了することになる。このレリーズボタン８の全押し解除タイミングであるＴｃ６は、撮像処理完了となるＴｃ５よりも前であっても良い。更にＴｃ７でレリーズボタンの半押しが解除された後で、次の音声付画像の撮影を行うことが可能となる。
【００３６】
本実施例ではＴｃ６の全押し解除で録音を終了しているが、Ｔｃ７における半押し解除で録音を終了しても良い。
【００３７】
また本実施例では、ストロボ発光部９のように発光時に音の発生しない発光部を使用しているため、合焦動作完了後に録音を開始さえすれば、録音のタイミングと補助光部１６の発光タイミングはどのようであっても良い。ただし、録音開始の告知として補助光部１６を発光させるため、ユーザが快適に感じられる告知のタイミングであることは言うまでもない。
【００３８】
以上説明したように本実施例によれば、静止画像と音声を同時に記録する際に、ユーザの意図しない合焦動作音の録音を回避できる。更に補助光部１６の発光により録音開始のタイミングを知らせることで、ユーザが所望する音声付画像の撮影ができることになる。
【符号の説明】
【００３９】
１  光学装置
２  撮像素子
３  撮像部
４  信号処理部
５  レンズ駆動部
７  モードダイヤル
８  レリーズボタン
９  ストロボ発光部
１０  記録部
１１  音声信号処理部
１２  スピーカ
１３  音声信号処理部
１４  マイク
１５  システム制御部
１６  補助光部
３１  本体
３２  ズームレバー
３３  電源ボタン
３８  液晶モニタ
４０  プリント実行ボタン
４１  画面表示ボタン
４２  メニューボタン
４３  十字ボタン
４４  セットボタン
【図１】
2010272940.tif 000003
【図２】
2010272940.tif 000004
【図３】
2010272940.tif 000005
【図４】
2010272940.tif 000006
【図５】
2010272940.tif 000007
【図６】
2010272940.tif 000008
【図７】
2010272940.tif 000009
【図８】
2010272940.tif 000010
【図９】
2010272940.tif 000011